(57)【特許請求の範囲】
【請求項１】
タッチパネル式表示部と、
カードリーダと、
前記タッチパネル式表示部の下部に設けたプリンタの排紙口と、
決済に関する金額情報を表示するための情報表示エリアと、決済に関する金額情報を入力するための情報入力エリアと、この情報入力エリアで入力された金額情報を確定するための確定キーを表示する確定キー表示エリアとを前記タッチパネル式表示部の表示領域の幅方向と直交する方向に上から順に設定し、複数の数値キーの画像パターンからなるテンキー画像パターンを前記情報入力エリアに表示するとともに、そのテンキー画像パターンへのタッチにより入力される金額情報を前記情報表示エリアに表示する表示制御手段と、
前記テンキー画像パターンにおける各数値キーのいずれかがタッチされると、そのタッチされた数値キーの表示を、非タッチ状態を表わす数値キーの画像パターンの表示から、タッチ状態を表す数値キーの画像パターンの表示に切替える表示形態切替手段と、
前記確定キー表示エリアがタッチされると、前記情報表示エリアに表示している金額情報を確定し、確定した金額情報を前記カードリーダの読取り情報とともに転送する転送手段と、
前記排紙口から決済の情報をプリントしたレシートを排出させる出力手段と、
を備えることを特徴とする小型決済端末。
【発明の詳細な説明】
【技術分野】
【０００１】
この発明は、商品販売の決済などに使用される小型決済端末に関する。
【背景技術】
【０００２】
商品販売処理装置たとえばＰＯＳターミナルやレジスタなどに付属される端末として、カード決済用の端末がある。この端末は、表示部、操作部、カードリーダなどを有し、商品の販売に関わる情報を表示部で表示する。
【０００３】
店舗の係員は、販売代金を操作部のテンキーで入力し、顧客から提示されるデビットカードやクレジットカードを端末のカードリーダに挿入することにより、決済を完了することができる。
【０００４】
このような端末の例として、表示する文字のサイズを大小に切換え可能なものがある（例えば特許文献１）。
【発明の概要】
【発明が解決しようとする課題】
【０００５】
上記のように、表示する文字のサイズを大小に切換え可能な端末の場合、文字のサイズを大きくすることで表示内容が把握し易いという利点があるが、操作部のテンキーについてはハードキー釦が比較的に小さめであるため、迅速な操作が困難だったり、誤操作が起こり易いという問題がある。
【０００６】
この発明は、上記の事情を考慮したもので、テンキーが大きくて見易く操作し易い操作性にすぐれた小型決済端末を提供することを目的とする。
【課題を解決するための手段】
【０００７】
請求項１に係る発明の小型決済端末は、タッチパネル式表示部と、カードリーダと、前記タッチパネル式表示部の下部に設けたプリンタの排紙口と、表示制御手段と、転送手段と、出力手段と、を備える。前記表示制御手段は、決済に関する金額情報を表示するための情報表示エリアと、決済に関する金額情報を入力するための情報入力エリアと、この情報入力エリアで入力された金額情報を確定するための確定キーを表示する確定キー表示エリアとを前記タッチパネル式表示部の表示領域の幅方向と直交する方向に上から順に設定し、複数の数値キーの画像パターンからなるテンキー画像パターンを前記情報入力エリアに表示するとともに、そのテンキー画像パターンへのタッチにより入力される金額情報を前記情報表示エリアに表示する。前記表示形態切替手段は、前記テンキー画像パターンにおける各数値キーのいずれかがタッチされると、そのタッチされた数値キーの表示を、非タッチ状態を表わす数値キーの画像パターンの表示から、タッチ状態を表す数値キーの画像パターンの表示に切替える。前記転送手段は、前記確定キー表示エリアがタッチされると、前記情報表示エリアに表示している金額情報を確定し、確定した金額情報を前記カードリーダの読取り情報とともに転送する。前記出力手段は、前記排紙口から決済の情報をプリントしたレシートを排出させる。
【発明の効果】
【０００８】
この発明の小型決済端末によれば、テンキーが大きくて見易く操作し易く、操作性が大幅に向上する。
【図面の簡単な説明】
【０００９】
【図１】一実施形態の本体の外観を示す斜視図。
【図２】一実施形態の制御回路のブロック図。
【図３】一実施形態のタッチパネル式表示部の表示内容を示す図。
【発明を実施するための形態】
【００１０】
以下、この発明の一実施形態について図面を参照して説明する。  
図１において、１は小型決済端末の本体で、店舗のレジカウンタ等にＰＯＳターミナル（図示しない）やレジスタ（図示しない）とともに設置され、側面部に電源スイッチ２を有し、上面部に上ユニット３を有する。上ユニット３は、一側部が本体１に開閉自在に枢支され、上面部に矩形状のタッチパネル式表示部４、枢支側の側部にカードリーダ５、下縁部にプリンタ６の排紙口、上面部におけるタッチパネル式表示部４の隣位置にリセット釦７を有する。
【００１１】
上記カードリーダ５は、顧客から提示される決済用のカードたとえばクレジットカードやデビットカード等が挿入されてスライドされることにより、そのカードに記録されているデータを読取る。プリンタ６は、タッチパネル式表示部４へのタッチ操作およびカードリーダ５の読取り情報に基づく決済情報を本体１に収容されているレシート発行用のロール紙にプリントするもので、上ユニット３内に収容され、プリントしたレシートを上記排紙口から排出する。リセット釦７は、タッチパネル式表示部４での入力情報およびカードリーダ５の読取り情報をそれぞれクリアする場合に押圧操作される。
【００１２】
本体１および上ユニット３の制御回路を図２に示す。  
まず、タッチパネル式表示部４は、カラーの画像表示が可能なＬＣＤ表示モジュール４ａ、およびこのＬＣＤ表示モジュール４ａ上に設けられたフルタッチパネル４ｂを有し、グラフィカルユーザインタフェース（Graphical User Interface；ＧＵＩ）として機能する。
【００１３】
また、主制御部として機能するマイクロコンピュータのＣＰＵ１０に、上記電源スイッチ２、カードリーダ５、プリンタ６、リセット釦７、表示コントローラ１１、メモリ１２が接続される。
【００１４】
表示コントローラ１１は、ＣＰＵ１０により生成される種々の操作画面をＬＣＤ表示モジュール４ａで表示するとともに、フルタッチパネル４ｂがタッチされたときにそのタッチ位置に対応するＬＣＤ表示モジュール４ａの表示内容を入力情報としてＣＰＵ１０に供給する。
【００１５】
メモリ１２には、ＣＰＵ１０の制御に必要な制御プログラムが記憶されるとともに、タッチパネル式表示部４のＬＣＤ表示モジュール４ａで表示する種々の操作画面を生成するための各種画像パターン情報、およびこれら画像パターン情報の表示位置をＬＣＤ表示モジュール４ａ上で指定するための座標情報が記憶されている。
【００１６】
そして、ＣＰＵ１０は、主要な機能として次の（１）〜（６）の手段を有する。  
（１）図３に示すように、ＬＣＤ表示モジュール４ａの表示領域の幅方向と直行する方向に情報表示エリア２１，２２、情報入力エリア２３、確定キー表示エリア２４を順に設定し、中央部の情報入力エリア２３に複数の数値キー“０”“００”“１”“２”…“９”の画像パターンからなるテンキー画像パターン２３ａを表示するとともに、上部の情報表示エリア２１に紙送りキー画像パターン２１ａ，ヘルプキー画像パターン２１ｂ，および機能情報２１ｃを表示し、上から２番目の情報表示エリア２２にセキュリティコード，商品コード，金額などの数値情報２２ａを表示し、下部の確定キー表示エリア２４にセットキー画像パターン２４ａおよび訂正キー画像パターン２４ｂを表示する表示制御手段。
【００１７】
（２）タッチパネル式表示部４で表示されているテンキー画像パターン２３ａにおける各数値キーのいずれかがタッチされると、そのタッチされた数値キーの表示形態を切替える表示形態切替手段。具体的には、タッチされた数値キーの表示を、非タッチ状態を表わす数値キーの画像パターンの表示から、タッチ状態を表す数値キーの画像パターンの表示に切替える。
【００１８】
（３）タッチパネル式表示部４で表示中のテンキー画像パターン２３ａへのタッチが離れたとき、それまでタッチされていた数値キーの数値情報を入力とし、その入力に基づく金額情報を情報表示エリア２２で表示する入力・表示制御手段。
【００１９】
（４）タッチパネル式表示部４で表示中のテンキー画像パターン２３ａへのタッチが離れたとき、それまでタッチされていた数値キーの表示形態を元に戻す表示形態復帰手段。具体的には、タッチが離れた数値キーの表示を、タッチ状態を表わす数値キーの画像パターンの表示から、非タッチ状態を表す数値キーの画像パターンの表示に戻す。
【００２０】
（５）タッチパネル式表示部４で表示中のセットキー画像パターン２４ａがタッチされると、情報表示エリア２２で表示している金額情報を確定し、確定した金額情報をカードリーダ５の読取り情報と共に、上位のＰＯＳターミナル（図示しない）へ転送する転送手段。
【００２１】
（６）転送した金額情報および読取り情報に基づいてＰＯＳターミナルで実行される決済の情報を同ＰＯＳターミナルから受信し、受信した情報をプリンタ６でプリント出力する出力手段。
【００２２】
つぎに、作用について説明する。  
電源スイッチ２がオンされると、商品販売の決済に必要な操作画面として図３のテンキー操作画面がメモリ１２内の画像パターン情報および座標情報に基づき生成され、それがタッチパネル式表示部４のＬＣＤ表示モジュール４ａで表示される。
【００２３】
店舗の係員は、顧客が購入しようとする商品がレジカウンタに持込まれると、タッチパネル式表示部４で表示されているテンキー画像パターン２３ａの各数値キーを手指でタッチして販売金額を入力し、顧客から提示されるクレジットカードやデビットカードをカードリーダ５に挿入して読取る。この金額情報の入力およびカード情報の読取りに伴い、ＰＯＳターミナル側で商品販売の決済が完了し、その決済の内容をプリントしたレシートが上ユニット３から排出される。
【００２４】
テンキー画像パターン２３ａへのタッチに際しては、そのテンキー画像パターン２３ａがタッチパネル式表示部４の表示領域の中央部に大きく表示されているので、店舗の係員にとっては数値キー“０”“００”“１”“２”…“９”の１つ１つが大きくて見易く、操作し易い。
【００２５】
また、テンキー画像パターン２３ａの各数値キーのうち、タッチされた数値キーの表示が、非タッチ状態を表わす色の数値キーの画像パターンの表示から、タッチ状態を表わす別の色の数値キーの画像パターンの表示へと切替わる。数値キーへのタッチが離れると、その数値キーの表示が、タッチ状態を表わす色の数値キーの画像パターンの表示から、非タッチ状態を表わす色の数値キーの画像パターンの表示へと戻る。この色変化により、どの数値キーにタッチしたか、どの数値キーからタッチを離したかを、各数値キーの１つ１つが大きくて見易いことと併せて、的確に把握することができる。
【００２６】
このように、大きなテンキー画像パターン２３ａを表示することにより、小型の決済端末でありながら、容易かつ間違いのない入力操作が可能となり、操作性が大幅に向上する。この操作性の向上は、店舗内で忙しく動き回る係員いわゆるキャッシャーにとって、業務効率の向上が図れるという点で、有用性がきわめて高い。
【００２７】
なお、上記実施形態では、テンキー画像パターン２３ａがタッチパネル式表示部４の表示領域の中央部に位置する場合を例に説明したが、そのテンキー画像パターン２３ａの位置については、情報表示エリア２１，２２および確定キー表示エリア２４の大きさや使用状況などを考慮しながら、適宜に選定可能である。  
その他、この発明は上記実施形態に限定されるものではなく、要旨を変えない範囲で種々変形実施可能である。
【符号の説明】
【００２８】
１…本体、２…電源スイッチ、３…上ユニット、４…タッチパネル式表示部、４ａ…ＬＣＤ表示モジュール、４ｂ…フルタッチパネル、５…カードリーダ、６…プリンタ、７…リセット釦、１１…表示コントローラ、１２…メモリ、２１，２２…情報表示エリア、２３…情報入力エリア、２４…確定キーエリア、２３ａ…テンキー画像パターン
【先行技術文献】
【特許文献】
【００２９】
【特許文献１】特開２００５―１５７４３６号公報
【図１】
0005592452.tif 000002
【図２】
0005592452.tif 000003
【図３】
0005592452.tif 000004